(57)【要約】 【課題】  電極引出タブと電池蓋とのかしめが確実に行われる、機械的な信頼性と電気的な信頼性の高い二次電池を得る。【解決手段】  電極引出タブ６と電池蓋２とを、かしめによって組み立てられた二次電池において、前記電極引出タブと電池蓋との間にて、電池蓋、第１の絶縁板Ａ１、第２の絶縁板Ｂ３、押さえ板４、電極引出タブ６、かしめピン５の順番に配置され、前記かしめピン５の先端が変形されて、電極引出タブ６と電池蓋２とがかしめられた二次電池。 【選択図】  図１
2006156063.tif 000002
【特許請求の範囲】
【請求項１】
電極引出タブと電池蓋とが、かしめによって組み立てられた二次電池において、かしめピンと電池蓋との間に、第１の絶縁板Ａ、第２の絶縁板Ｂ、押さえ板 、電極引出タブが順番に配置され、前記かしめピンの先端が変形されて、前記電極引出タブと電池蓋とがかしめられたことを特徴とする二次電池。 
【請求項２】
前記押さえ板が波状の形状であることを特徴とする請求項１記載の二次電池。
【請求項３】
前記かしめピンの先端部が波状の形状であることを特徴とする請求項１または２のいずれかに記載の二次電池。
【請求項４】
前記請求項１ないし３のいずれかに記載の二次電池は、リチウムイオン二次電池であることを特徴とする二次電池。   
【発明の詳細な説明】
【技術分野】
【０００１】
本発明は、携帯機器、情報機器、家電機器等への使用に好適な二次電池に関する。
【背景技術】
【０００２】
図４は、従来の二次電池における 電極引出タブと電池蓋との溶接による接続状態の説明図である。図４において、９は電極集合体であり、８は上部絶縁板であり、７は安全弁である。ここで、電池蓋集合体をあらかじめ組み立てた状態で、電極集合体の電極引出タブを抵抗溶接していた。
【０００３】
特許文献１には、二次電池において、かしめリベットと電極集合体の電極引出タブとをかしめによって接続する製造方法について記載されている。
【０００４】
【特許文献１】特開平２００４−１４１７３号公報
【発明の開示】
【発明が解決しようとする課題】
【０００５】
従来の電極引出タブと電池蓋との接合にて、溶接による方法は溶接設備などが高価であり、また溶接条件のばらつきが大きいという問題点があった。また、特許文献１に記載の電極引出タブと、電極集合体の電極引出タブとを、かしめによって接続する製造方法では、一度かしめを行った後、かしめた部分がゆるくなるという問題点があった。この原因は、内部の絶縁封止板が、もとの形状にもどろうとするためである。
【０００６】
本発明の課題は、電極引出タブと電池蓋とのかしめが確実に行われる、機械的な信頼性と電気的な信頼性の高い二次電池を提供することである。
【課題を解決するための手段】
【０００７】
本発明の二次電池は、電極引出タブと電池蓋とを接合する方法として、かしめピンと電池蓋との間に、第１の絶縁板Ａ、第２の絶縁板Ｂ、押さえ板、電極引出タブを順番に配置し、前記かしめピンの先端が変形されて、前記電極引出タブと電池蓋とがかしめられた二次電池である。 
【０００８】
即ち、本発明は、電極引出タブと電池蓋とがかしめによって組み立てられた二次電池において、かしめピンと電池蓋との間に、第１の絶縁板Ａ、第２の絶縁板Ｂ、押さえ板、電極引出タブが順番に配置され、前記かしめピンの先端が変形されて、電極引出タブと電池蓋とがかしめられた二次電池である。 
【０００９】
また、本発明は、電極引出タブと電池蓋とがかしめによって組み立てられた二次電池において、かしめピンと電池蓋との間に、第１の絶縁板Ａ、第２の絶縁板Ｂ、押さえ板、電極引出タブが順番に配置され、前記押さえ板は波状の形状としており、前記かしめピンの先端が変形されて、前記電極引出タブと電池蓋とがかしめられた二次電池である。 
【００１０】
また、本発明は、電極引出タブと電池蓋とがかしめによって組み立てられた二次電池において、かしめピンと電池蓋との間に、第１の絶縁板Ａ、第２の絶縁板Ｂ、押さえ板、電極引出タブが順番に配置され、前記押さえ板は波状の形状としており、また、前記かしめピンの先端部は、波状の形状としており、前記かしめピンの先端が変形されて、前記電極引出タブ と電池蓋とがかしめられた二次電池である。 
【００１１】
また、本発明は、リチウムイオン二次電池である二次電池である。   
【発明の効果】
【００１２】
本発明によれば、電極引出タブと電池蓋とのかしめが確実に行われる、機械的な信頼性と電気的な信頼性の高い二次電池を提供することができる。
【発明を実施するための最良の形態】
【００１３】
本発明の実施の形態による二次電池について、以下に説明する。本発明の二次電池は、電極引出タブと電池蓋とを接合する方法として、かしめピンと電池蓋との間にて、第１の絶縁板Ａ、第２の絶縁板Ｂ、押さえ板、電極引出タブの順番に配置し、前記かしめピンの先端が変形されて、前記電極引出タブ と電池蓋とがかしめられた二次電池である。 
【００１４】
ここで、前記押さえ板がバネの役目をしており、かしめ後の、かしめのゆるみを軽減する作用をする。なお、前記押さえ板の形は、平坦の場合と波状の形状の場合がある。更に、前記かしめピンの先端の形状についても、平坦の場合と波状の形状の場合がある。このように、波状の形状の場合は、かしめた後、より食い込む状態となり、機械的な信頼性と電気的な信頼性が増す。
【実施例１】
【００１５】
図１は、本発明の実施例１の二次電池における電極引出タブと電池蓋とのかしめの状態の説明図である。図１において、１は第１の絶縁板Ａであり、３は第２の絶縁板Ｂであり、４は押さえ板であり 、６は電極引出タブであり、５はかしめピンである。なお、図１は、電池蓋の側面方向から見たかしめの状態の断面図である。            
【００１６】
図１に示すように、かしめピン５と電池蓋２との間に、第１の絶縁板Ａ１、第２の絶縁板Ｂ３、押さえ板４、電極引出タブ６が、この順番に配置され、前記かしめピン５の先端が変形されて、電極引出タブ６と電池蓋２とがかしめられている。ここで、押さえ板４が、バネの役目をして、かしめのゆるみを、軽減している。 
【実施例２】
【００１７】
図２は、本発明の実施例２の二次電池における電極引出タブと電池蓋とのかしめの状態の説明図である。図２において、１１は第１の絶縁板Ａであり、３１は第２の絶縁板Ｂであり、４１は押さえ板であり、６１は電極引出タブであり、５１はかしめピンである。なお、図２は、電池蓋の側面方向から見たかしめの状態の断面図である。            
【００１８】
図２に示すように、かしめピン５１と電池蓋２１との間に、第１の絶縁板Ａ１１、第２の絶縁板Ｂ３１、押さえ板４１、電極引出タブ６１が、この順番に配置され、前記かしめピン５の先端が変形されて、電極引出タブ６ と電池蓋２とがかしめられている。 
【００１９】
ここで、前記押さえ板４１は波状の形状としており、このように波状の形状の場合は、かしめた後、より食い込む状態となり、機械的な信頼性と電気的な信頼性が増す。
【実施例３】
【００２０】
図３は、本発明の実施例３の二次電池における 電極引出タブと電池蓋とのかしめの状態の説明図である。図３において、１２は 第１の絶縁板Ａであり、３２は第２の絶縁板Ｂであり、４２は押さえ板であり、６２は電極引出タブであり、５２はかしめピンである。なお、図３は、電池蓋の側面方向から見たかしめの状態の断面図である。  
【００２１】
図３に示すように、かしめピン５２と電池蓋２２との間にて、第１の絶縁板Ａ１２、第２の絶縁板Ｂ３２、押さえ板４２、電極引出タブ６２の順番に配置され、前記かしめピン５２の先端が変形されて、電極引出タブ６２と電池蓋２２とがかしめられている。 
【００２２】
ここで、前記押さえ板４２は波状の形状としており、また、前記かしめピン５２の先端も波状の形状としており、このように、波状の形状部材が重なるので、かしめた後、より食い込む状態となり、機械的な信頼性と電気的な信頼性が増す。
【００２３】
実施例１、実施例２、実施例３において、二次電池は特に限定してないが、例えば、リチウムイオン二次電池、その他にて適用できる。
【図面の簡単な説明】
【００２４】
【図１】本発明の実施例１の二次電池における、 電極引出タブと電池蓋とのかしめの状態の説明図。
【図２】本発明の実施例２の二次電池における、 電極引出タブと電池蓋とのかしめの状態の説明図。
【図３】本発明の実施例３の二次電池における、 電極引出タブと電池蓋とのかしめの状態の説明図。
【図４】従来の二次電池における、 電極引出タブと電池蓋との溶接による接続状態の説明図。
【符号の説明】
【００２５】
１，１１，１２    第１の絶縁板Ａ
２，２１，２２    電池蓋
３，３１，３２    第２の絶縁板Ｂ
４，４１，４２    押さえ板
５，５１，５２    かしめピン
６，６１，６２    電極引出タブ
７    安全弁
８    上部絶縁板
９    電極集合体
【図１】
2006156063.tif 000003
【図２】
2006156063.tif 000004
【図３】
2006156063.tif 000005
【図４】
2006156063.tif 000006